(57)【要約】      （修正有）【課題】温室面積の全体を栽培空間として使用することにより植物を量産可能なアップダウンシステムを用いた植物の栽培装置を提供する。【解決手段】本発明に係るアップダウンシステムを用いた植物の栽培装置は、温室の内部柱の上部を水平に横切るように前後に所定の間隔で配置されたトラスに設置され、減速モーターと、駆動軸２２と、駆動軸に前後に所定の間隔で設置され、第１〜第５のスプロケットからなる駆動スプロケット部材２３と、第２〜第５のスプロケットの左右に隣接してそれぞれ設置された第１〜第４の左右補助スプロケットと、を有する駆動手段と、駆動手段により作動するように設置され、第１〜第５の昇降部材を有する昇降手段及び第１〜第５の昇降部材の各左右端にそれぞれ結束されて昇降する左右の栽培ガターを有し、１つの減速モーター及び駆動軸で第１〜第３の昇降部材の各左右栽培ガターを同時に１つ置きに１つずつ昇降させる。【選択図】図６
2018139576.tif 000002
【特許請求の範囲】
【請求項１】
温室（１０）の内部柱（１１）の上部を水平に横切るように前後に所定の間隔を隔てて配置されたトラス（１２）に設置された駆動手段（２０）と、前記駆動手段（２０）により作動するように設置された昇降手段（３０）及び前記昇降手段（３０）により昇降する左右の栽培ガター（４０，４０’）を備えるアップダウンシステムを用いた植物の栽培装置において、
前記駆動手段（２０）は、減速モーター（２１）と、前記トラス（１２）の各中間横浅（１２１）の下部に前後に横切るように軸設されて減速モーター（２１）により回転する駆動軸（２２）と、第１〜第３のスプロケット（２３１〜２３３）の３個１組で構成され、前記駆動軸（２２）に前後に所定の間隔を隔てて軸設される駆動スプロケット部材（２３）と、を有し、
前記昇降手段（３０）は、第１〜第３の昇降部材（３１〜３３）の３個１組で構成され、
前記第１の昇降部材（３１）は、前記駆動軸（２２）の左右から等間隔に離れる上側に位置するようにトラス（１２）の中間横浅（１２１）の上面に設置された第１の左右案内スプロケット（３２１）と、中間部分が前記第１のスプロケット（２３１）の下部に掛け渡されるように左右側部分がそれぞれ第１の左右案内スプロケット（３２１）の上部を経て左右から下向きになるように設置され、各左右端に栽培ガター（４０，４０’）がそれぞれ結束される第１の昇降チェーン（３１１）と、を有し、
前記第２の昇降部材（３２）は、前記第１の左右案内スプロケット（３２１）の左右から等間隔に離れる下側に位置するようにトラス（１２）の下部横浅（１２２）の上面に設置された第２の左右案内スプロケット（３２２）と、中間部分が前記第２のスプロケット（２３２）の上部に掛け渡されるように左右側部分がそれぞれ第２の左右案内スプロケット（３２２）の上部を経て左右から下向きになるように設置され、各左右端に栽培ガター（４０，４０’）がそれぞれ結束される第２の昇降チェーン（３１２）と、を有し、
前記第３の昇降部材（３３）は、前記第２の左右案内スプロケット（３２２）の左右から等間隔に離れる上側に位置するように中間横浅（１２１）の上面に設置された第３の左右案内スプロケット（３２３）と、中間部分が前記第３のスプロケット（２３３）の下部に掛け渡されるように左右側部分がそれぞれ前記第３の左右案内スプロケット（３２３）の上部を経て左右から下向きになるように設置され、各左右端に栽培ガター（４０，４０’）がそれぞれ結束される第３の昇降チェーン（３１３）と、を有し、前記１つの減速モーター（２１）及び駆動軸（２２）で第１〜第３の昇降部材（３１〜３３）の各左右栽培ガター（４０，４０’）を同時に１つ置きに１つずつ千鳥状に互い違いに昇降させることを特徴とするアップダウンシステムを用いた植物の栽培装置。
【請求項２】
温室（１０）の内部柱（１１）の上部を水平に横切るように前後に所定の間隔を隔てて配置されたトラス（１２）に設置された駆動手段（２０）と、前記駆動手段（２０）により作動するように設置された昇降手段（３０）及び前記各昇降手段（３０）により昇降する左右の栽培ガター（４０，４０’）を備えるアップダウンシステムを用いた植物の栽培装置において、
前記駆動手段（２０）は、減速モーター（２１）と、前記トラス（１２）の各中間横浅（１２１）の下部に前後に横切るように軸設されて減速モーター（２１）により回転する駆動軸（２２）と、第１〜第４のスプロケット（２３１〜２３４）の４個１組で構成され、前記駆動軸（２２）に前後に所定の間隔を隔てて軸設される駆動スプロケット部材（２３）と、を有し、
前記昇降手段（３０）は、第１〜第４の昇降部材（３１〜３４）の４個１組で構成され、
前記第１の昇降部材（３１）は、前記駆動軸（２２）の左右から等間隔に離れる上側に位置するようにトラス（１２）の中間横浅（１２１）の上面に設置された第１の左右案内スプロケット（３２１）と、中間部分が前記第１のスプロケット（２３１）の下部に掛け渡されるように左右側部分がそれぞれ第１の左右案内スプロケット（３２１）の上部を経て左右から下向きになるように設置され、各左右端に栽培ガター（４０，４０’）がそれぞれ結束される第１の昇降チェーン（３１１）と、を有し、
前記第２の昇降部材（３２）は、前記第１の左右案内スプロケット（３２１）の左右から等間隔に離れる下側に位置するようにトラス（１２）の下部横浅（１２２）の上面に設置された第２の左右案内スプロケット（３２２）と、中間部分が前記第２のスプロケット（２３２）の上部に掛け渡されるように左右側部分がそれぞれ第２の左右案内スプロケット（３２２）の上部を経て左右から下向きになるように設置され、各左右端に栽培ガター（４０，４０’）がそれぞれ結束される第２の昇降チェーン（３１２）と、を有し、
前記第３の昇降部材（３３）は、前記第２の左右案内スプロケット（３２２）の左右から等間隔に離れる上側に位置するように中間横浅（１２１）の上面に設置された第３の左右案内スプロケット（３２３）と、中間部分が前記第３のスプロケット（２３３）の下部に掛け渡されるように左右側部分がそれぞれ前記第３の左右案内スプロケット（３２３）の上部を経て左右から下向きになるように設置され、各左右端に栽培ガター（４０，４０’）がそれぞれ結束される第３の昇降チェーン（３１３）と、を有し、
前記第４の昇降部材（３４）は、前記第３の左右案内スプロケット（３２３）の左右から等間隔に離れる下側に位置するように下部横浅（１２２）の上面に設置された第４の左右案内スプロケット（３２４）と、中間部分が前記第４のスプロケット（２３４）の上部に掛け渡されるように左右側部分がそれぞれ第４の左右案内スプロケット（３２４）の上部を経て左右から下向きになるように設置され、各左右端に栽培ガター（４０，４０’）がそれぞれ結束される第４の昇降チェーン（３１４）と、を有し、前記１つの減速モーター（２１）及び駆動軸（２２）で第１〜第４の昇降部材（３１〜３４）の各左右栽培ガター（４０，４０’）を同時に１つ置きに１つずつ千鳥状に互い違いに昇降させることを特徴とするアップダウンシステムを用いた植物の栽培装置。
【請求項３】
温室（１０）の内部柱（１１）の上部を水平に横切るように前後に所定の間隔を隔てて配置されたトラス（１２）に設置された駆動手段（２０）と、前記駆動手段（２０）により作動するように設置された昇降手段（３０）及び前記昇降手段（３０）により昇降する左右の栽培ガター（４０，４０’）を備えるアップダウンシステムを用いた植物の栽培装置において、
前記駆動手段（２０）は、減速モーター（２１）と、前記トラス（１２）の各中間横浅（１２１）の下部に前後に横切るように軸設されて減速モーター（２１）により回転する駆動軸（２２）と、第１〜第５のスプロケット（２３１〜２３５）の５個１組で構成され、前記駆動軸（２２）に前後に所定の間隔を隔てて軸設される駆動スプロケット部材（２３）と、を有し、
前記昇降手段（３０）は、第１〜第５の昇降部材（３１〜３５）の５個１組で構成され、
前記第１の昇降部材（３１）は、前記駆動軸（２２）の左右から等間隔に離れる上側に位置するようにトラス（１２）の中間横浅（１２１）の上面に設置された第１の左右案内スプロケット（３２１）と、中間部分が前記第１のスプロケット（２３１）の下部に掛け渡されるように左右側部分がそれぞれ第１の左右案内スプロケット（３２１）の上部を経て左右から下向きになるように設置され、各左右端に栽培ガター（４０，４０’）がそれぞれ結束される第１の昇降チェーン（３１１）と、を有し、
前記第２の昇降部材（３２）は、前記第１の左右案内スプロケット（３２１）の左右から等間隔に離れる下側に位置するようにトラス（１２）の下部横浅（１２２）の上面に設置された第２の左右案内スプロケット（３２２）と、中間部分が前記第２のスプロケット（２３２）の上部に掛け渡されるように左右側部分がそれぞれ第２の左右案内スプロケット（３２２）の上部を経て左右から下向きになるように設置され、各左右端に栽培ガター（４０，４０’）がそれぞれ結束される第２の昇降チェーン（３１２）と、を有し、
前記第３の昇降部材（３３）は、前記第２の左右案内スプロケット（３２２）の左右から等間隔に離れる上側に位置するように中間横浅（１２１）の上面に設置された第３の左右案内スプロケット（３２３）と、中間部分が前記第３のスプロケット（２３３）の下部に掛け渡されるように左右側部分がそれぞれ前記第３の左右案内スプロケット（３２３）の上部を経て左右から下向きになるように設置され、各左右端に栽培ガター（４０，４０’）がそれぞれ結束される第３の昇降チェーン（３１３）と、を有し、
前記第４の昇降部材（３４）は、前記第３の左右案内スプロケット（３２３）の左右から等間隔に離れる下側に位置するように下部横浅（１２２）の上面に設置された第４の左右案内スプロケット（３２４）と、中間部分が前記第４のスプロケット（２３４）の上部に掛け渡されるように左右側部分がそれぞれ第４の左右案内スプロケット（３２４）の上部を経て左右から下向きになるように設置され、各左右端に栽培ガター（４０，４０’）がそれぞれ結束される第４の昇降チェーン（３１４）と、を有し、
前記第５の昇降部材（３５）は、前記第４の左右案内スプロケット（３２４）の左右から等間隔に離れる上側に位置するように中間横浅（１２１）の上面に設置された第５の左右案内スプロケット（３２５）と、中間部分が前記第５のスプロケット（２３５）の下部に掛け渡されるように左右側部分が第５の左右案内スプロケット（３２５）の上部を経てそれぞれ左右から下向きになるように設置され、各左右端に栽培ガター（４０，４０’）がそれぞれ結束される第５の昇降チェーン（３１５）と、を有し、前記１つの減速モーター（２１）及び駆動軸（２２）で第１〜第５の昇降部材（３１〜３５）の各左右栽培ガター（４０，４０’）を同時に１つ置きに１つずつ千鳥状に互い違いに昇降させることを特徴とするアップダウンシステムを用いた植物の栽培装置。
【請求項４】
温室（１０）の内部柱（１１）の上部を水平に横切るように前後に所定の間隔を隔てて配置されたトラス（１２）に設置された駆動手段（２０）と、前記駆動手段（２０）により作動するように設置された昇降手段（３０）及び前記昇降手段（３０）により昇降する左右の栽培ガター（４０，４０’）を備えるアップダウンシステムを用いた植物の栽培装置において、
前記駆動手段（２０）は、減速モーター（２１）と、前記トラス（１２）の各中間横浅（１２１）の下部に前後に横切るように軸設されて減速モーター（２１）により回転する駆動軸（２２）と、第１〜第３のスプロケット（２３１〜２３３）の３個１組で構成され、前記駆動軸（２２）に前後に所定の間隔を隔てて軸設される駆動スプロケット部材（２３）と、前記第２及び第３のスプロケット（２３２，２３３）の左右に隣り合うようにそれぞれ設置された第１及び第２の左右補助スプロケット（２４１，２４２）と、を有し、
前記昇降手段（３０）は、第１〜第３の昇降部材（３１〜３３）の３個１組で構成され、
前記第１の昇降部材（３１）は、前記駆動軸（２２）の左右から等間隔に離れる上側に位置するようにトラス（１２）の中間横浅（１２１）の上面に設置された第１の左右案内スプロケット（３２１）と、中間部分が前記第１のスプロケット（２３１）の下部に掛け渡されるように左右側部分がそれぞれ第１の左右案内スプロケット（３２１）の上部を経て左右から下向きになるように設置され、各左右端に栽培ガター（４０，４０’）がそれぞれ結束される第１の昇降チェーン（３１１）と、を有し、
前記第２の昇降部材（３２）は、前記第１の左右案内スプロケット（３２１）の左右から等間隔に離れる下側に位置するようにトラス（１２）の下部横浅（１２２）の上面に設置された第２の左右案内スプロケット（３２２）と、中間部分が前記第２のスプロケット（２３２）の上部に掛け渡されるように左右側部分がそれぞれ第１の左右補助スプロケット（２４１）の下部及び第２の左右案内スプロケット（３２２）の上部を経て左右から下向きになるように設置され、各左右端に栽培ガター（４０，４０’）がそれぞれ結束される第２の昇降チェーン（３１２）と、を有し、
前記第３の昇降部材（３３）は、前記第２の左右案内スプロケット（３２２）の左右から等間隔に離れる上側に位置するように中間横浅（１２１）の上面に設置された第３の左右案内スプロケット（３２３）と、中間部分が前記第３のスプロケット（２３３）の下部に掛け渡されるように左右側部分がそれぞれ第２の左右補助スプロケット（２４２）の上部及び第３の左右案内スプロケット（３２３）の上部を経て左右から下向きになるように設置され、各左右端に栽培ガター（４０，４０’）がそれぞれ結束される第３の昇降チェーン（３１３）と、を有し、前記１つの減速モーター（２１）及び駆動軸（２２）で第１〜第３の昇降部材（３１〜３３）の各左右栽培ガター（４０，４０’）を同時に１つ置きに１つずつ千鳥状に互い違いに昇降させることを特徴とするアップダウンシステムを用いた植物の栽培装置。
【請求項５】
温室（１０）の内部柱（１１）の上部を水平に横切るように前後に所定の間隔を隔てて配置されたトラス（１２）に設置された駆動手段（２０）と、前記駆動手段（２０）により作動するように設置された昇降手段（３０）及び前記各昇降手段（３０）により昇降する左右の栽培ガター（４０，４０’）を備えるアップダウンシステムを用いた植物の栽培装置において、
前記駆動手段（２０）は、減速モーター（２１）と、前記トラス（１２）の各中間横浅（１２１）の下部に前後に横切るように軸設されて減速モーター（２１）により回転する駆動軸（２２）と、第１〜第４のスプロケット（２３１〜２３４）の４個１組で構成され、前記駆動軸（２２）に前後に所定の間隔を隔てて軸設される駆動スプロケット部材（２３）と、前記第２〜第４のスプロケット（２３２〜２３４）の左右に隣り合うようにそれぞれ設置された第１〜第３の左右補助スプロケット（２４１〜２４３）と、を有し、
前記昇降手段（３０）は、第１〜第４の昇降部材（３１〜３４）の４個１組で構成され、
前記第１の昇降部材（３１）は、前記駆動軸（２２）の左右から等間隔に離れる上側に位置するようにトラス（１２）の中間横浅（１２１）の上面に設置された第１の左右案内スプロケット（３２１）と、中間部分が前記第１のスプロケット（２３１）の下部に掛け渡されるように左右側部分がそれぞれ第１の左右案内スプロケット（３２１）の上部を経て左右から下向きになるように設置され、各左右端に栽培ガター（４０，４０’）がそれぞれ結束される第１の昇降チェーン（３１１）と、を有し、
前記第２の昇降部材（３２）は、前記第１の左右案内スプロケット（３２１）の左右から等間隔に離れる下側に位置するようにトラス（１２）の下部横浅（１２２）の上面に設置された第２の左右案内スプロケット（３２２）と、中間部分が前記第２のスプロケット（２３２）の上部に掛け渡されるように左右側部分がそれぞれ第１の左右補助スプロケット（２４１）の下部及び第２の左右案内スプロケット（３２２）の上部を経て左右から下向きになるように設置され、各左右端に栽培ガター（４０，４０’）がそれぞれ結束される第２の昇降チェーン（３１２）と、を有し、
前記第３の昇降部材（３３）は、前記第２の左右案内スプロケット（３２２）の左右から等間隔に離れる上側に位置するように中間横浅（１２１）の上面に設置された第３の左右案内スプロケット（３２３）と、中間部分が前記第３のスプロケット（２３３）の下部に掛け渡されるように左右側部分がそれぞれ第２の左右補助スプロケット（２４２）の上部及び第３の左右案内スプロケット（３２３）の上部を経て左右から下向きになるように設置され、各左右端に栽培ガター（４０，４０’）がそれぞれ結束される第３の昇降チェーン（３１３）と、を有し、
前記第４の昇降部材（３４）は、前記第３の左右案内スプロケット（３２３）の左右から等間隔に離れる下側に位置するように下部横浅（１２２）の上面に設置された第４の左右案内スプロケット（３２４）と、中間部分が前記第４のスプロケット（２３４）の上部に掛け渡されるように左右側部分がそれぞれ第３の左右補助スプロケット（２４３）の下部及び第４の左右案内スプロケット（３２４）の上部を経て左右から下向きになるように設置され、各左右端に栽培ガター（４０，４０’）がそれぞれ結束される第４の昇降チェーン（３１４）と、を有し、前記１つの減速モーター（２１）及び駆動軸（２２）で第１〜第４の昇降部材（３１〜３４）の各左右栽培ガター（４０，４０’）を同時に１つ置きに１つずつ千鳥状に互い違いに昇降させることを特徴とするアップダウンシステムを用いた植物の栽培装置。
【請求項６】
温室（１０）の内部柱（１１）の上部を水平に横切るように前後に所定の間隔を隔てて配置されたトラス（１２）に設置された駆動手段（２０）と、前記駆動手段（２０）により作動するように設置された昇降手段（３０）及び前記昇降手段（３０）により昇降する左右の栽培ガター（４０，４０’）を備えるアップダウンシステムを用いた植物の栽培装置において、
前記駆動手段（２０）は、減速モーター（２１）と、前記トラス（１２）の各中間横浅（１２１）の下部に前後に横切るように軸設されて減速モーター（２１）により回転する駆動軸（２２）と、第１〜第５のスプロケット（２３１〜２３５）の５個１組で構成され、前記駆動軸（２２）に前後に所定の間隔を隔てて軸設される駆動スプロケット部材（２３）と、前記第２〜第５のスプロケット（３２〜２３５）の左右に隣り合うようにそれぞれ設置された第１〜第４の左右補助スプロケット（２４１〜２４４）と、を有し、
前記昇降手段（３０）は、第１〜第５の昇降部材（３１〜３５）の５個１組で構成され、
前記第１の昇降部材（３１）は、前記駆動軸（２２）の左右から等間隔に離れる上側に位置するようにトラス（１２）の中間横浅（１２１）の上面に設置された第１の左右案内スプロケット（３２１）と、中間部分が前記第１のスプロケット（２３１）の下部に掛け渡されるように左右側部分がそれぞれ第１の左右案内スプロケット（３２１）の上部を経て左右から下向きになるように設置され、各左右端に栽培ガター（４０，４０’）がそれぞれ結束される第１の昇降チェーン（３１１）と、を有し、
前記第２の昇降部材（３２）は、前記第１の左右案内スプロケット（３２１）の左右から等間隔に離れる下側に位置するようにトラス（１２）の下部横浅（１２２）の上面に設置された第２の左右案内スプロケット（３２２）と、中間部分が前記第２のスプロケット（２３２）の上部に掛け渡されるように左右側部分がそれぞれ第１の左右補助スプロケット（２４１）の下部及び第２の左右案内スプロケット（３２２）の上部を経て左右から下向きになるように設置され、各左右端に栽培ガター（４０，４０’）がそれぞれ結束される第２の昇降チェーン（３１２）と、を有し、
前記第３の昇降部材（３３）は、前記第２の左右案内スプロケット（３２２）の左右から等間隔に離れる上側に位置するように中間横浅（１２１）の上面に設置された第３の左右案内スプロケット（３２３）と、中間部分が前記第３のスプロケット（２３３）の下部に掛け渡されるように左右側部分がそれぞれ第２の左右補助スプロケット（２４２）の上部及び第３の左右案内スプロケット（３２３）の上部を経て左右から下向きになるように設置され、各左右端に栽培ガター（４０，４０’）がそれぞれ結束される第３の昇降チェーン（３１３）と、を有し、
前記第４の昇降部材（３４）は、前記第３の左右案内スプロケット（３２３）の左右から等間隔に離れる下側に位置するように下部横浅（１２２）の上面に設置された第４の左右案内スプロケット（３２４）と、中間部分が前記第４のスプロケット（２３４）の上部に掛け渡されるように左右側部分がそれぞれ第３の左右補助スプロケット（２４３）の下部及び第４の左右案内スプロケット（３２４）の上部を経て左右から下向きになるように設置され、各左右端に栽培ガター（４０，４０’）がそれぞれ結束される第４の昇降チェーン（３１４）と、を有し、
前記第５の昇降部材（３５）は、前記第４の左右案内スプロケット（３２４）の左右から等間隔に離れる上側に位置するように中間横浅（１２１）の上面に設置された第５の左右案内スプロケット（３２５）と、中間部分が前記第５のスプロケット（２３５）の下部に掛け渡されるように左右側部分がそれぞれ第４の左右補助スプロケット（２４４）の上部及び第５の左右案内スプロケット（３２５）の上部を経て左右から下向きになるように設置され、各左右端に栽培ガター（４０，４０’）がそれぞれ結束される第５の昇降チェーン（３１５）と、を有し、前記１つの減速モーター（２１）及び駆動軸（２２）で第１〜第５の昇降部材（３１〜３５）の各左右栽培ガター（４０，４０’）を同時に１つ置きに１つずつ千鳥状に互い違いに昇降させることを特徴とするアップダウンシステムを用いた植物の栽培装置。
【請求項７】
前記第１〜第５のスプロケット（２３１〜２３５）は、それぞれ別個に形成するか、或いは、２つ及び３つを一体に形成し、
前記第１〜第５の昇降チェーン（３１１〜３１５）は、前記第１の昇降チェーン（３１１）から第５の昇降チェーン（３１５）まで順番に１つ置きに１つずつ駆動軸（２２）を基点としてその下部及び上部において同時に互い違いに上昇及び下降させるように千鳥状に配置することを特徴とする請求項６に記載のアップダウンシステムを用いた植物の栽培装置。
【請求項８】
前記第１〜第５の昇降部材（３１〜３５）は、前記第１〜第５の左右案内スプロケット（３２１〜３２５）をそれぞれ内側に設置して第１〜第５の昇降チェーン（３１１〜３１５）がそれぞれの移動経路から離脱することを防ぐ抜け止めブラケット（３６）を更に備えることを特徴とする請求項６に記載のアップダウンシステムを用いた植物の栽培装置。
【請求項９】
温室（１０）の内部柱（１１）の上部を水平に横切るように前後に所定の間隔を隔てて配置されたトラス（１２）に設置された駆動手段（２０）と、前記駆動手段（２０）により作動するように設置された昇降手段（３０）及び前記昇降手段（３０）により昇降する左右の栽培ガター（４０，４０’）を備えるアップダウンシステムを用いた植物の栽培装置において、
前記駆動手段（２０）は、減速モーター（２１）と、前記トラス（１２）の各中間横浅（１２１）の下部に前後に横切るように軸設されて減速モーター（２１）により回転する駆動軸（２２）と、前記駆動軸（２２）に所定の間隔を隔てて軸設され、巻取溝（２３１’）が螺旋状に形成されたリール部材（２３’）と、を有し、
前記昇降手段（３０）は、第１〜第３の昇降部材（３１〜３３）の３個１組で構成され、
前記第１の昇降部材（３１）は、前記駆動軸（２２）の左右から等間隔に離れる上側に位置するようにトラス（１２）の中間横浅（１２１）の上面の後側の左右に設置された第１の左右案内プーリー（３２１’）と、中間部分を前記巻取溝（２３１’）において後端側に数回に亘って螺旋状に巻き取って左側部分は前方の左下部から上向きになって第１の左右案内プーリー（３２１’）のうち前方に位置する第１の左右案内プーリー（３２１’）の上部に掛け渡されて左側から下向きになり、右側部分は後方の右下部から上向きになって後方に位置する第１の左右案内プーリー（３２１’）の上部に掛け渡されて右側から下向きになるように設置された第１の昇降ワイヤー（３１１’）と、を有し、
前記第２の昇降部材（３２）は、前記第１の左右案内プーリー（３２１’）の左右から等間隔に離れる下側に位置するようにトラス（１２）の下部横浅（１２２）の上面の前側の左右に設置された第２の左右案内プーリー（３２２’）と、中間部分を前記巻取溝（２３１’）において前端側に数回に亘って螺旋状に巻き取って左側部分は後方の左上部から下向きになって前記第２の左右案内プーリー（３２２’）のうち後方に位置する第２の左右案内プーリー（３２２’）の上部に掛け渡されて左側から下向きになり、右側部分は後方の右上部から下向きになって前方に位置する第２の左右案内プーリー（３２２’）の上部に掛け渡されて右側から下向きになるように設置された第２の昇降ワイヤー（３１２’）と、を有し、
前記第３の昇降部材（３３）は、前記第２の左右案内プーリー（３２２’）の左右から等間隔に離れる上側に位置するように中間横浅（１２１）の上面の前側の左右に設置された第３の左右案内プーリー（３２３’）と、中間部分を前記巻取溝（２３１’）において第２の昇降ワイヤー（３１２’）の中間部分の後側に離れるように数回に亘って螺旋状に巻き取って左側部分は前方の左下部から上向きになって第３の左右案内プーリー（３２３’）のうち前方に位置する第３の左右案内プーリー（３２３’）の上部に掛け渡されて左側から下向きになり、右側部分は後方の右下部から上向きになって後方に位置する第３の左右案内プーリー（３２３’）の上部に掛け渡されて右側から下向きになるように設置された第３の昇降ワイヤー（３１３’）と、を有し、前記１つの減速モーター（２１）及び駆動軸（２２）で第１〜第３の昇降部材（３１〜３３）の各左右栽培ガター（４０，４０’）を同時に１つ置きに１つずつ千鳥状に互い違いに昇降させることを特徴とするアップダウンシステムを用いた植物の栽培装置。
【請求項１０】
温室（１０）の内部柱（１１）の上部を水平に横切るように前後に所定の間隔を隔てて配置されたトラス（１２）に設置された駆動手段（２０）と、前記駆動手段（２０）により作動するように設置された昇降手段（３０）及び前記昇降手段（３０）により昇降する左右の栽培ガター（４０，４０’）を備えるアップダウンシステムを用いた植物の栽培装置において、
前記駆動手段（２０）は、減速モーター（２１）と、前記トラス（１２）の各中間横浅（１２１）の下部に前後に横切るように軸設されて減速モーター（２１）により回転する駆動軸（２２）と、前記駆動軸（２２）に所定の間隔を隔てて軸設され、巻取溝（２３１’）が螺旋状に形成されたリール部材（２３’）と、を有し、
前記昇降手段（３０）は、第１〜第４の昇降部材（３１〜３４）の４個１組で構成され、
前記第１の昇降部材（３１）は、前記駆動軸（２２）の左右から等間隔に離れる上側に位置するようにトラス（１２）の中間横浅（１２１）の上面の後側の左右に設置された第１の左右案内プーリー（３２１’）と、中間部分を前記巻取溝（２３１’）において後端側に数回に亘って螺旋状に巻き取って左側部分は前方の左下部から上向きになって第１の左右案内プーリー（３２１’）のうち前方に位置する第１の左右案内プーリー（３２１’）の上部に掛け渡されて左側から下向きになり、右側部分は後方の右下部から上向きになって後方に位置する第１の左右案内プーリー（３２１’）の上部に掛け渡されて右側から下向きになるように設置された第１の昇降ワイヤー（３１１’）と、を有し、
前記第２の昇降部材（３２）は、前記第１の左右案内プーリー（３２１’）の左右から等間隔に離れる下側に位置するようにトラス（１２）の下部横浅（１２２）の上面の前側の左右に設置された第２の左右案内プーリー（３２２’）と、中間部分を前記巻取溝（２３１’）において前端側に数回に亘って螺旋状に巻き取って左側部分は後方の左上部から下向きになって前記第２の左右案内プーリー（３２２’）のうち後方に位置する第２の左右案内プーリー（３２２’）の上部に掛け渡されて左側から下向きになり、右側部分は後方の右上部から下向きになって前方に位置する第２の左右案内プーリー（３２２’）の上部に掛け渡されて右側から下向きになるように設置された第２の昇降ワイヤー（３１２’）と、を有し、
前記第３の昇降部材（３３）は、前記第２の左右案内プーリー（３２２’）の左右から等間隔に離れる上側に位置するように中間横浅（１２１）の上面の前側の左右に設置された第３の左右案内プーリー（３２３’）と、中間部分を前記巻取溝（２３１’）において第２の昇降ワイヤー（３１２’）の中間部分の後側に離れるように数回に亘って螺旋状に巻き取って左側部分は前方の左下部から上向きになって第３の左右案内プーリー（３２３’）のうち前方に位置する第３の左右案内プーリー（３２３’）の上部に掛け渡されて左側から下向きになり、右側部分は後方の右下部から上向きになって後方に位置する第３の左右案内プーリー（３２３’）の上部に掛け渡されて右側から下向きになるように設置された第３の昇降ワイヤー（３１３’）と、を有し、
前記第４の昇降部材（３４）は、前記第３の左右案内プーリー（３２３’）の左右から等間隔に離れる下側に位置するように下部横浅（１２２）の上面の後側の左右に設置された第４の左右案内プーリー（３２４’）と、中間部分を前記巻取溝（２３１’）において第１の昇降ワイヤー（３１１’）の中間部分の前側に離れるように数回に亘って螺旋状に巻き取って左側部分は後方の左上部から下向きになって第４の左右案内プーリー（３２４’）のうち後方に位置する第４の左右案内プーリー（３２４’）の上部に掛け渡されて左側から下向きになり、右側部分は後方の右上部から下向きになって前方に位置する第４の左右案内プーリー（３２４’）の上部に掛け渡されて右側から下向きになるように設置された第４の昇降ワイヤー（３１４’）と、を有し、前記１つの減速モーター（２１）及び駆動軸（２２）で第１〜第４の昇降部材（３１〜３４）の各左右栽培ガター（４０，４０’）を同時に１つ置きに１つずつ千鳥状に互い違いに昇降させることを特徴とするアップダウンシステムを用いた植物の栽培装置。
【請求項１１】
温室（１０）の内部柱（１１）の上部を水平に横切るように前後に所定の間隔を隔てて配置されたトラス（１２）に設置された駆動手段（２０）と、前記駆動手段（２０）により作動するように設置された昇降手段（３０）及び前記昇降手段（３０）により昇降する左右の栽培ガター（４０，４０’）を備えるアップダウンシステムを用いた植物の栽培装置において、
前記駆動手段（２０）は、減速モーター（２１）と、前記トラス（１２）の各中間横浅（１２１）の下部に前後に横切るように軸設されて減速モーター（２１）により回転する駆動軸（２２）と、前記駆動軸（２２）に所定の間隔を隔てて軸設され、巻取溝（２３１’）が螺旋状に形成されたリール部材（２３’）と、を有し、
前記昇降手段（３０）は、第１〜第５の昇降部材（３１〜３５）の５個１組で構成され、
前記第１の昇降部材（３１）は、前記駆動軸（２２）の左右から等間隔に離れる上側に位置するようにトラス（１２）の中間横浅（１２１）の上面の後側の左右に設置された第１の左右案内プーリー（３２１’）と、中間部分を前記巻取溝（２３１’）において後端側に数回に亘って螺旋状に巻き取って左側部分は前方の左下部から上向きになって第１の左右案内プーリー（３２１’）のうち前方に位置する第１の左右案内プーリー（３２１’）の上部に掛け渡されて左側から下向きになり、右側部分は後方の右下部から上向きになって後方に位置する第１の左右案内プーリー（３２１’）の上部に掛け渡されて右側から下向きになるように設置された第１の昇降ワイヤー（３１１’）と、を有し、
前記第２の昇降部材（３２）は、前記第１の左右案内プーリー（３２１’）の左右から等間隔に離れる下側に位置するようにトラス（１２）の下部横浅（１２２）の上面の前側の左右に設置された第２の左右案内プーリー（３２２’）と、中間部分を前記巻取溝（２３１’）において前端側に数回に亘って螺旋状に巻き取って左側部分は後方の左上部から下向きになって前記第２の左右案内プーリー（３２２’）のうち後方に位置する第２の左右案内プーリー（３２２’）の上部に掛け渡されて左側から下向きになり、右側部分は後方の右上部から下向きになって前方に位置する第２の左右案内プーリー（３２２’）の上部に掛け渡されて右側から下向きになるように設置された第２の昇降ワイヤー（３１２’）と、を有し、
前記第３の昇降部材（３３）は、前記第２の左右案内プーリー（３２２’）の左右から等間隔に離れる上側に位置するように中間横浅（１２１）の上面の前側の左右に設置された第３の左右案内プーリー（３２３’）と、中間部分を前記巻取溝（２３１’）において第２の昇降ワイヤー（３１２’）の中間部分の後側に離れるように数回に亘って螺旋状に巻き取って左側部分は前方の左下部から上向きになって第３の左右案内プーリー（３２３’）のうち前方に位置する第３の左右案内プーリー（３２３’）の上部に掛け渡されて左側から下向きになり、右側部分は後方の右下部から上向きになって後方に位置する第３の左右案内プーリー（３２３’）の上部に掛け渡されて右側から下向きになるように設置された第３の昇降ワイヤー（３１３’）と、を有し、
前記第４の昇降部材（３４）は、前記第３の左右案内プーリー（３２３’）の左右から等間隔に離れる下側に位置するように下部横浅（１２２）の上面の後側の左右に設置された第４の左右案内プーリー（３２４’）と、中間部分を前記巻取溝（２３１’）において第１の昇降ワイヤー（３１１’）の中間部分の前側に離れるように数回に亘って螺旋状に巻き取って左側部分は後方の左上部から下向きになって第４の左右案内プーリー（３２４’）のうち後方に位置する第４の左右案内プーリー（３２４’）の上部に掛け渡されて左側から下向きになり、右側部分は後方の右上部から下向きになって前方に位置する第４の左右案内プーリー（３２４’）の上部に掛け渡されて右側から下向きになるように設置された第４の昇降ワイヤー（３１４’）と、を有し、
前記第５の昇降部材（３５）は、前記第４の左右案内プーリー（３２４’）の左右から等間隔に離れる上側に位置するように中間横浅（１２１）の上面の前方及び後方に位置する第５の左右案内プーリー（３２５’）と、中間部分の前後側を前記巻取溝（２３１’）において第３の昇降ワイヤー（３１３’）の中間部分の後側及び第４の昇降ワイヤー（３１４’）の前側からそれぞれ離れるように数回に亘って螺旋状に巻き取って左側部分は前方の左下部から上向きになって第５の左右案内プーリー（３２５’）のうち前方に位置する第５の左右案内プーリー（３２５’）の上部に掛け渡されて左側から下向きになり、右側部分は後方の右下部から上向きになって後方に位置する第５の左右案内プーリー（３２５’）の上部に掛け渡されて右側から下向きになるように設置された第５の昇降ワイヤー（３１５’）と、を有し、前記１つの減速モーター（２１）及び駆動軸（２２）で第１〜第５の昇降部材（３１〜３５）の各左右栽培ガター（４０，４０’）を同時に１つ置きに１つずつ千鳥状に互い違いに昇降させることを特徴とするアップダウンシステムを用いた植物の栽培装置。
【請求項１２】
前記第１〜第５の昇降ワイヤー（３１１’〜３１５’）は、前記第１の昇降ワイヤー（３１１’）から第５の昇降ワイヤー（３１５’）まで順番に１つ置きに１つずつ駆動軸（２２）を基点としてその下部及び上部において同時に互い違いに上昇及び下降させるように千鳥状に配置することを特徴とする請求項１１に記載のアップダウンシステムを用いた植物の栽培装置。
【請求項１３】
前記第１〜第５の昇降部材（３１〜３５）は、前記第１〜第５の左右案内プーリー（３２１’〜３２５’）をそれぞれの内側に設置して第１〜第５の昇降ワイヤー（３１１’〜３１５’）がそれぞれの移動経路から離脱することを防ぐ抜け止めブラケット（３６）を更に備えることを特徴とする請求項１１に記載のアップダウンシステムを用いた植物の栽培装置。
【発明の詳細な説明】
【技術分野】
【０００１】
本発明は、アップダウンシステムを用いた植物の栽培装置に係り、更に詳しくは、温室面積の全体を栽培空間として使用することにより、植物を量産することのできるアップダウンシステムを用いた植物の栽培装置に関する。
【背景技術】
【０００２】
一般に、温室において土壌栽培や水耕栽培などを行うとき、最小限の温室面積の約半分を播種や栽培管理又は収穫をする作業者の通路として用いる必要があるため、栽培面積が半減され、これに伴い、その分生産量が減って、生産コストはもとより、消費物価の上昇が招かれ、その結果、生産者及び消費者のコスト負担が増えてしまうなどの不具合があった。
【０００３】
このため、これらの不具合を解消するために、本願出願人は、図１から図３に示すように、温室１０内の上部を水平に横切るトラス１２に設置され、モーター２１と、駆動軸２２と、複数の従動軸２４及びウォームギア減速機２３を有する駆動手段２０と、前記複数の従動軸のそれぞれに前後に所定の間隔を隔てて軸固定される複数のメインスプロケット３１と、中間部分を前記メインスプロケットの中間に掛け渡し、左側部分３２ａはメインスプロケットの左側から下向きになり、右側部分３２ｂは右側から下向きになるように設置されたチェーン３２と、前記メインスプロケットが軸固定された位置から左右等間隔に離れるように当該トラスの下面にそれぞれ上端を取り付けて垂直に設置された左右支持棒３３と、前記メインスプロケットよりも下方の左右に位置するように支持棒の下端部に軸設されてチェーンの下向きになる左右側部分をそれぞれ掛け渡す左右案内スプロケット３４、３４’と、を有する複数の昇降手段３０と、前記チェーンの左右側部分にそれぞれ結束されて昇降する栽培ガター４０、４０’と、を有し、普段は複数の前記栽培ガターがいずれも地面からの所定の高さに位置するように所定の間隔を隔てて水平を維持するように吊設されていて、播種や栽培管理又は収穫をするために作業者の移動が必要になるときには駆動手段を働きかけて複数の昇降手段が各左右の栽培ガターを１つずつ交互に上昇及び下降させて、下降した栽培ガターの間に上昇した栽培ガターにより作業者が移動可能な通路が生成されて温室の面積の全体が栽培面積として使えるようにして生産量を倍加させる植物の栽培装置（特許文献１）を出願した。
【０００４】
しかしながら、このような従来の先出願の植物の栽培装置は、１つの駆動手段２０で複数の昇降手段３０を同時に作動させて各左右の栽培ガター４０、４０’を交互に上昇及び下降させるために、１つのモーター２１により回動するように設置された駆動軸２２と、前記駆動軸と直交するように設置された複数の従動軸２４と、前記駆動軸及び従動軸が直交する個所にそれぞれ設置されて駆動軸の回転力を減速させた上で伝達して各従動軸を同時に回転させる複数のウォームギア減速機２３と、を備えるものであるため、前記モーターの駆動力を伝達して複数の昇降部材を作動させる構造が複雑であり、部品点数及び設置工数が増えて設置及びメンテナンスを行うことが非常に困難且つ煩雑であるなどの不具合あり、しかも、初期の設置及びメンテナンスにかかるコストが高いため生産コストを下げるのに限界があり、その結果、生産者及び消費者のコスト負担を低減することができないという不具合もあった。
【先行技術文献】
【特許文献】
【０００５】
【特許文献１】韓国特許第１０−２０１６−００６９４６５号公報
【発明の概要】
【発明が解決しようとする課題】
【０００６】
本発明は、このような従来の事情に鑑みてなされたものであり、その目的は、設置及びメンテナンスを行い易くするとともに、生産者及び消費者のコスト負担を大幅に低減することのできるアップダウンシステムを用いた植物の栽培装置を提供することである。
【課題を解決するための手段】
【０００７】
本発明は、このような目的を達成するために、減速モーターと、温室のトラスの各中間横浅の下部に前後に横切るように軸設されて減速モーターにより回転する駆動軸と、第１〜第５のスプロケットの５個１組で構成され、駆動軸に前後に所定の間隔を隔てて軸設される駆動スプロケット部材と、第２〜第５のスプロケットの左右に隣り合うようにそれぞれ設置された第１〜第４の左右補助スプロケットとを有する駆動手段と、第１〜第５の昇降部材の５個１組で構成される昇降手段と、前記駆動軸の左右から等間隔に離れる上側に位置するようにトラスの中間横浅の上面に設置された第１の左右案内スプロケットと、中間部分が第１のスプロケットの下部に掛け渡されるように左右側部分がそれぞれ第１の左右案内スプロケットの上部を経て左右から下向きになるように設置され、各左右端に栽培ガターがそれぞれ結束される第１の昇降チェーンとを有する第１の昇降部材と、前記第１の左右案内スプロケットの左右から等間隔に離れる下側に位置するようにトラスの下部横浅の上面に設置された第２の左右案内スプロケットと、中間部分が第２のスプロケットの上部に掛け渡されるように左右側部分がそれぞれ第１の左右補助スプロケットの下部及び第２の左右案内スプロケットの上部を経て左右から下向きになるように設置され、各左右端に栽培ガターがそれぞれ結束される第２の昇降チェーンとを有する第２の昇降部材と、前記第２の左右案内スプロケットの左右から等間隔に離れる上側に位置するように中間横浅の上面に設置された第３の左右案内スプロケットと、中間部分が第３のスプロケットの下部に掛け渡されるように左右側部分がそれぞれ第２の左右補助スプロケットの上部及び第３の左右案内スプロケットの上部を経て左右から下向きになるように設置され、各左右端に栽培ガターがそれぞれ結束される第３の昇降チェーンとを有する第３の昇降部材と、前記第３の左右案内スプロケットの左右から等間隔に離れる下側に位置するように下部横浅の上面に設置された第４の左右案内スプロケットと、中間部分が第４のスプロケットの上部に掛け渡されるように左右側部分がそれぞれ第３の左右補助スプロケットの下部及び第４の左右案内スプロケットの上部を経て左右から下向きになるように設置され、各左右端に栽培ガターがそれぞれ結束される第４の昇降チェーンとを有する第４の昇降部材と、前記第４の左右案内スプロケットの左右から等間隔に離れる上側に位置するように中間横浅の上面に設置された第５の左右案内スプロケットと、中間部分が第５のスプロケットの下部に掛け渡されるように左右側部分がそれぞれ第４の左右補助スプロケットの上部及び第５の左右案内スプロケットの上部を経て左右から下向きになるように設置され、各左右端に栽培ガターがそれぞれ結束される第５の昇降チェーンとを有する第５の昇降部材と、を有し、普段は複数の前記栽培ガターがいずれも地面からの所定の高さに位置するように所定の間隔を隔てて水平を維持するように吊設されていて、播種や栽培管理又は収穫をするために作業者の移動が必要になるときには駆動手段を働きかけて昇降手段が栽培ガターを１つずつ交互に上昇及び下降させて、下降した栽培ガターの間に上昇した栽培ガターにより作業者が移動可能な通路を生成して温室の面積の全てが栽培面積として使えるようにして生産量を倍加させるアップダウンシステムを用いた植物の栽培装置を提供する。
【０００８】
また、本発明は、減速モーターと、温室のトラスの各中間横浅の下部に前後に横切るように軸設されて減速モーターにより回転する駆動軸と、駆動軸に前後に所定の間隔を隔てて軸設されるリール部材とを有する駆動手段と、第１〜第５の昇降部材の５個１組の昇降手段と、により構成され、前記第１の昇降部材は、駆動軸の左右から等間隔に離れる上側に位置するようにトラスの中間横浅の上面の後側の左右に設置された第１の左右案内プーリーと、中間部分を前記巻取溝において後端側に数回に亘って螺旋状に巻き取って左側部分は前方の左下部から上向きになるようにして第１の左右案内プーリーのうち前方に位置する第１の左右案内プーリーの上部に掛け渡されて左側から下向きになり、右側部分は後方の右下部から上向きになって後方に位置する第１の左右案内プーリーの上部に掛け渡されて右側から下向きになるように設置された第１の昇降ワイヤーとを有し、前記第２の昇降部材は、第１の左右案内プーリーの左右から等間隔に離れる下側に位置するようにトラスの下部横浅の上面の前側の左右に設置された第２の左右案内プーリーと、中間部分を前記巻取溝において前端側に数回に亘って螺旋状に巻き取って左側部分は後方の左上部から下向きになって第２の左右案内プーリーのうち後方に位置する第２の左右案内プーリーの上部に掛け渡されて左側から下向きになり、右側部分は後方の右上部から下向きになって前方に位置する第２の左右案内プーリーの上部に掛け渡されて右側から下向きになるように設置された第２の昇降ワイヤーとを有し、前記第３の昇降部材は、第２の左右案内プーリーの左右から等間隔に離れる上側に位置するように中間横浅の上面に左側左右に設置された第３の左右案内プーリーと、中間部分を巻取溝において第２の昇降ワイヤーの中間部分の後側に離れるように数回に亘って螺旋状に巻き取って左側部分は前方の左下部から上向きになり、第３の左右案内プーリーのうち前方に位置する第３の左右案内プーリーの上部に掛け渡されて左側から下向きになり、右側部分は後方の右下部から上向きになって後方に位置する第３の左右案内プーリーの上部に掛け渡されて右側から下向きになるように設置された第３の昇降ワイヤーとを有し、前記第４の昇降部材は、第３の左右案内プーリーの左右から等間隔に離れる下側に位置するように下部横浅の上面の後側の左右に設置された第４の左右案内プーリーと、中間部分を前記巻取溝において第１の昇降ワイヤーの中間部分の前側に離れるように数回に亘って螺旋状に巻き取って左側部分は後方の左上部から下向きになり、第４の左右案内プーリーのうち後方に位置する第４の左右案内プーリーの上部に掛け渡されて左側から下向きになり、右側部分は後方の右上部から下向きになり、前方に位置する第４の左右案内プーリーの上部に掛け渡されて右側から下向きになるように設置された第４の昇降ワイヤーとを有し、前記第５の昇降部材は、第４の左右案内プーリーの左右から等間隔に離れる上側に位置するように中間横浅の上面の前方及び後方に設置された第５の左右案内プーリーと、中間部分の前後側を前記巻取溝において第３の昇降ワイヤーの中間部分の後側及び第４の昇降ワイヤーの前側からそれぞれ離れるように数回に亘って螺旋状に巻き取って左側部分は前方の左下部から上向きになり、第５の左右案内プーリーのうち前方に位置する第５の左右案内プーリーの上部に掛け渡されて左側から下向きになり、右側部分は後方の右下部から上向きになって後方に位置する第５の左右案内プーリーの上部に掛け渡されて右側から下向きになるように設置された第５の昇降ワイヤーとを有し、普段は、複数の前記栽培ガターがいずれも地面からの所定の高さに位置するように所定の間隔を隔てて水平を維持するように吊設されていて、播種や栽培管理又は収穫をするために作業者の移動が必要になるときには駆動手段を働きかけて昇降手段が栽培ガターを１つずつ交互に上昇及び下降させて、下降した栽培ガターの間に上昇した栽培ガターにより作業者が移動可能な通路が生成されて温室の面積の全体が栽培面積として使えるようにして生産量を倍加させるアップダウンシステムを用いた植物の栽培装置を提供する。
【発明の効果】
【０００９】
このような本発明に係るアップダウンシステムを用いた植物の栽培装置は、１つの減速モーターの駆動力を１つの駆動軸で複数の昇降部材に同時に且つ直接的に伝達するように構成されるものであるため、その構造が単純化され、設置及びメンテナンスが行い易いというメリットがあり、しかも、コストが大幅に節減されて生産コストの上昇が招かないことから、生産者及び消費者のコスト負担を大幅に低減することができるという効果がある。
【図面の簡単な説明】
【００１０】
【図１】従来の先出願の植物の栽培装置が設置された温室の一部を概略的に示す正面図。
【図２】図１の植物の栽培装置を概略的に示す平面図。
【図３】図１における１つの昇降手段を抜粋して拡大して示す正面図。
【図４】本発明の第１の実施形態に係るアップダウンシステムを用いた植物の栽培装置が設置された温室の一部を概略的に示す正面図。
【図５】図４における一部を省略して示すアップダウンシステムを用いた植物の栽培装置の平面図。
【図６】図４における一部を抜粋して拡大して示す正面図。
【図７ａ】図６の拡大された平面図及び側面図。
【図７ｂ】図６の拡大された平面図及び側面図。
【図８】図４における栽培ガターの高さが調節された状態を示す正面図。
【図９】本発明の第２の実施形態に係るアップダウンシステムを用いた植物の栽培装置が設置された温室の一部を概略的に示す正面図。
【図１０】図９における一部を省略して示すアップダウンシステムを用いた植物の栽培装置の平面図。
【図１１】図９における一部を抜粋して拡大して示す正面図。
【図１２ａ】図１１の拡大された平面図及び側面図。
【図１２ｂ】図１１の拡大された平面図及び側面図。
【図１３ａ】図１１における第１の昇降部材を抜粋して拡大して示す正面図及び平面図。
【図１３ｂ】図１１における第１の昇降部材を抜粋して拡大して示す正面図及び平面図。
【図１４ａ】図１１における第２及び第３の昇降部材を抜粋して拡大して示す正面図及び平面図。
【図１４ｂ】図１１における第２及び第３の昇降部材を抜粋して拡大して示す正面図及び平面図。
【図１５ａ】図１１における第４及び第５の昇降部材を抜粋して拡大して示す正面図及び平面図である。
【図１５ｂ】図１１における第４及び第５の昇降部材を抜粋して拡大して示す正面図及び平面図である。
【図１６ａ】図９における栽培ガターの高さが互いに異なるように調節された状態を示す正面図。
【図１６ｂ】図９における栽培ガターの高さが互いに異なるように調節された状態を示す正面図。
【図１７】本発明の第３の実施形態に係るアップダウンシステムを用いた植物の栽培装置が設置された温室の一部を概略的に示す正面図。
【図１８】図１７における一部を省略して示すアップダウンシステムを用いた植物の栽培装置の平面図。
【図１９】図１７における一部を抜粋して拡大して示す正面図。
【図２０ａ】図１９の拡大された平面図及び側面図。
【図２０ｂ】図１９の拡大された平面図及び側面図。
【図２１】図１７における栽培ガターの高さが調節された状態を示す正面図。
【発明を実施するための形態】
【００１１】
以下、添付図面に基づいて、本発明に係るアップダウンシステムを用いた植物の栽培装置について詳細に説明する。
【００１２】
図４は、本発明の第１の実施形態に係るアップダウンシステムを用いた植物の栽培装置が設置された温室の一部を概略的に示す正面図であり、図５は、図４における一部を省略して示すアップダウンシステムを用いた植物の栽培装置の平面図である。
【００１３】
図４及び図５に示すように、本発明の第１の実施形態に係るアップダウンシステムを用いた植物の栽培装置は、一般に広く用いられている屋根構造をそのまま適用する温室１０の柱１１の上部を水平に横切るように前後に所定の間隔を隔てて配置されたトラス１２に設置された駆動手段２０と、前記駆動手段により昇降するように設置された昇降手段３０及び前記昇降手段の左右にそれぞれ吊設される栽培ガター４０、４０’を備える。
【００１４】
図６は、図４における一部を抜粋して拡大して示す正面図であり、図７ａ及び図７ｂは、図６の拡大された平面図及び側面図であり、図８は、図４における栽培ガターの高さが調節された状態を示す正面図である。
【００１５】
駆動手段２０は、減速モーター２１と、トラス１２の各中間横浅１２１の下部に前後に横切るように軸受け１３により設置されて前記減速モーターにより正逆転する駆動軸２２と、前記駆動軸に前後に所定の間隔を隔てて軸設される駆動スプロケット部材２３と、を備える。
【００１６】
駆動スプロケット部材２３は、第１〜第５のスプロケット２３１〜２３５の５個１組で構成され、前記第１〜第５のスプロケットはそれぞれ別個に形成してもよく、２つ又は３つを一体に形成して駆動軸２２の各当該部位に集まるように軸固定して設置してもよい。
【００１７】
このように、第１〜第５のスプロケット２３１〜２３５を駆動軸２２の各当該部位に集まるように軸固定して設置するときには、各中間横浅１２１を交差する前記駆動軸の当該部分を中間横浅に軸設する軸受け１３を境界としてその前後に位置するように前記駆動軸に分散して設置することが好ましい。
【００１８】
このように配置すると、後述するように、第１〜第５のスプロケット２３１〜２３５にそれぞれかかる栽培ガター４０、４０’の荷重がいずれも駆動軸２２に集中せず、軸受け１３により分散されるので、長期間に亘って使用しても軸変形などの現象が発生しない。
【００１９】
昇降手段３０は、第１〜第５の昇降部材３１〜３５により構成される。
【００２０】
第１〜第５の昇降部材３１〜３５は、各中間部分が第１〜第５のスプロケット２３１〜２３５の下部又は上部にそれぞれ掛け渡され、各左右端には栽培ガター４０、４０’が結束される第１〜第５の昇降チェーン３１１〜３１５と、前記第１〜第５の昇降チェーンの各下向きになる左右側部分をそれぞれ上部に掛け渡す第１〜第５の左右案内スプロケット３２１〜３２５と、を備える。
【００２１】
第１の昇降部材３１の第１の左右案内スプロケット３２１は、駆動軸２２の左右から等間隔に離れる上側に位置するように中間横浅１２１の上面に設置し、第１の昇降チェーン３１１は、中間部分が第１のスプロケット２３１の下部に掛け渡されるように左右側部分がそれぞれ前記第１の左右案内スプロケットの上部を経て左右から下向きになるように設置する。
【００２２】
このように設置すると、減速モーター２１が正駆動して駆動軸２２により第１のスプロケット２３１が反時計回り方向に回転するときには、第１の昇降チェーン３１１の中間部分が左側に移動するため第１の左右案内スプロケット３２１により案内されて右側部分は上昇し、左側部分が下降するため、左側の栽培ガター４０は下降し、右側の栽培ガター４０’は上昇し、逆に、前記減速モーターの逆駆動により第１のスプロケットが反時計回り方向に回転するときには、第１の昇降チェーンの中間部分が右側に移動するため、右側の栽培ガターは下降し、左側の栽培ガターは上昇する。
【００２３】
第２の昇降部材３２の第２の左右案内スプロケット３２２は、第１の左右案内スプロケット３２１の左右から等間隔に離れる下側に位置するように下部横浅１２２の上面に設置し、第２の昇降チェーン３１２は、中間部分が第２のスプロケット２３２の上部に掛け渡されるように左右側部分がそれぞれ前記第２の左右案内スプロケットの上部を経て左右から下向きになるように設置する。
【００２４】
このように設置すると、減速モーター２１が正駆動して駆動軸２２により第２のスプロケット２３２が時計回り方向に回転するときには、第２の昇降チェーン３１２の中間部分が右側に移動するため、第２の左右案内スプロケット３２２により案内されて左側部分は上昇し、右側部分が下降するため、左側の栽培ガター４０は上昇し、右側の栽培ガター４０’は下降し、逆に、前記減速モーターの逆駆動により第２のスプロケットが反時計回り方向に回転するときには、第２の昇降チェーンの中間部分が左側に移動するため、右側の栽培ガターは上昇し、左側の栽培ガターは下降する。
【００２５】
第３の昇降部材３３の第３の左右案内スプロケット３２３は、第２の左右案内スプロケット３２２の左右から等間隔に離れる上側に位置するように中間横浅１２１の上面に設置し、第３の昇降チェーン３１３は、中間部分が第３のスプロケット２３３の下部に掛け渡されるように左右側部分がそれぞれ前記第３の左右案内スプロケットの上部を経て左右から下向きになるように設置する。
【００２６】
このように設置すると、減速モーター２１が正駆動して駆動軸２２により第３のスプロケット２３３が時計回り方向に回転するときには、第３の昇降チェーン３１３の中間部分が左側に移動するため、第３の左右案内スプロケット３２３により案内されて左側部分は下降し、右側部分が上昇するため、左側の栽培ガター４０は下降し、右側の栽培ガター４０’は上昇し、逆に、前記減速モーターの逆駆動により第３のスプロケットが反時計回り方向に回転するときには、第３の昇降チェーンの中間部分が右側に移動するため、右側の栽培ガターは下降し、左側の栽培ガターは上昇する。
【００２７】
第４の昇降部材３４の第４の左右案内スプロケット３２４は、第３の左右案内スプロケット３２３の左右から等間隔に離れる下側に位置するように下部横浅１２２の上面に設置し、第４の昇降チェーン３１４は中間部分が第４のスプロケット２３４の上部に掛け渡されるように左右側部分がそれぞれ前記第４の左右案内スプロケットの上部を経て左右から下向きになるように設置する。
【００２８】
このように設置すると、減速モーター２１が正駆動して駆動軸２２により第４のスプロケット２３４が時計回り方向に回転するときには、第４の昇降チェーン３１４の中間部分が右側に移動するため、第４の左右案内スプロケット３２４により案内されて左側部分は上昇し、右側部分が下降するため、左側の栽培ガター４０は上昇し、右側の栽培ガター４０’は下降し、逆に、前記減速モーターの逆駆動により第４のスプロケットが反時計回り方向に回転するときには、第４の昇降チェーンの中間部分が左側に移動するため、右側の栽培ガターは上昇し、左側の栽培ガターは下降する。
【００２９】
第５の昇降部材３５の第５の左右案内スプロケット３２５は、第４の左右案内スプロケット３２４の左右から等間隔に離れる上側に位置するように中間横浅１２１の上面に設置し、第５の昇降チェーン３１５は中間部分が第５のスプロケット２３５の下部に掛け渡されるように左右側部分が前記第５の左右案内スプロケットの上部を経てそれぞれ左右から下向きになるように設置する。
【００３０】
このように設置すると、減速モーター２１が正駆動して駆動軸２２により第５のスプロケット２３５が時計回り方向に回転するときには、第５の昇降チェーン３１５の中間部分が左側に移動するため、第５の左右案内スプロケット３２５により案内されて左側部分は下降し、右側部分が上昇するため、左側の栽培ガター４０は下降し、右側の栽培ガター４０’は上昇し、逆に、前記減速モーターの逆駆動により第５のスプロケットが反時計回り方向に回転するときには、第５の昇降チェーンの中間部分が右側に移動するため、右側の栽培ガターは下降し、左側の栽培ガターは上昇する。
【００３１】
このように第１〜第５の昇降部材３１〜３５を設置すると、１つの減速モーター２１及び駆動軸２２だけで前記第１〜第５の昇降部材の各左右栽培ガター４０、４０’を同時に１つ置きに１つずつ千鳥状に互い違いに昇降させる。
【００３２】
すなわち、図４に示すように、第１〜第５の昇降部材３１〜３５の左右栽培ガター４０、４０’が同一線上に水平にある状態で減速モーター２１が正駆動して駆動軸２２により第１〜第５のスプロケット２３１〜２３５が一緒に時計回り方向に回転すると、第１、第３及び第５の昇降チェーン３１１、３１３、３１５の中間部分は同時に左側に移動するのに対し、第２及び第４の昇降チェーン３１２、３１４は同時に右側に移動する。
【００３３】
これにより、第１、第３及び第５の昇降チェーン３１１、３１３、３１５の各左端に結束された左側の栽培ガター４０は同時に下降し、各右端に結束された右側の栽培ガター４０’は同時に上昇するのに対し、第２及び第４の昇降チェーン３１２、３１４の各左端に結束された左側の栽培ガター４０は同時に上昇し、右側の栽培ガター４０’は同時に上昇するため、図５に示すように、前記左右の栽培ガターは１つの減速モーター２１及び駆動軸２２だけで同時に１つ置きに１つずつ千鳥状に互い違いに昇降させて作業者の通路を生成する。
【００３４】
一方、これまでは、昇降手段３０が第１〜第５の昇降部材３１〜３５の５個１組で構成されると説明しているが、本発明はこれに何等限定されるものではなく、前記昇降手段を設置された温室１０の内部の左右又は前後に面積に応じて１つの昇降手段当たりに３つや４つ又はそれ以上の昇降部材を１組にして横又は縦横に連設してもよく、この場合も本発明の範囲に属するということはいうまでもない。
【００３５】
また、第１〜第５の左右案内スプロケット３２１〜３２５はそれぞれ左右が開放されるように形成される抜け止めブラケット３６の内側に軸設して前記第１〜第５の左右案内スプロケットに掛け渡される第１〜第５の昇降チェーン３１１〜３１５がそれぞれの移動経路から離脱することを防ぐ。
【００３６】
図９は、本発明の第２の実施形態に係るアップダウンシステムを用いた植物の栽培装置が設置された温室の一部を概略的に示す正面図であり、図１０は、図９における一部を省略して示すアップダウンシステムを用いた植物の栽培装置の平面図であり、図１１は、図９における一部を抜粋して拡大して示す正面図であり、図１２ａ及び図１２ｂは、図１１の拡大された平面図及び側面図である。
【００３７】
図９から図１２ａ及び図１２ｂに示すように、本発明の第２の実施形態に係るアップダウンシステムを用いた植物の栽培装置は、温室１０の柱１１の上部を水平に横切るように前後に所定の間隔を隔てて配置されたトラス１２に設置され、減速モーター２１と、前記トラスの各中間横浅１２１の下部に前後に横切るように軸受け１３により設置されて前記減速モーターにより回転する駆動軸２２と、第１〜第５のスプロケット２３１〜２３５の５個１組で構成され、前記駆動軸に前後に所定の間隔を隔てて軸設される駆動スプロケット部材２３とを有する駆動手段２０と、各中間部分が前記第１〜第５のスプロケットにそれぞれ掛け渡され、各左右端には栽培ガター４０、４０’がそれぞれ結束される第１〜第５の昇降チェーン３１１〜３１５と、前記第１〜第５の昇降チェーンの各下向きになる左右側部分を掛け渡すようにトラスの中間横浅及び下部横浅１２２に分散されて設置された第１〜第５の左右案内スプロケット３２１〜３２５とをそれぞれ有する第１〜第５の昇降部材３１〜３５からなる昇降手段３０と、を備えることは上記の第１の実施形態と同様であり、前記駆動手段が第２〜第５のスプロケットの各左右に隣り合うようにそれぞれ設置された第１〜第４の左右補助スプロケット２４１〜２４４を更に備えることを特徴とする。
【００３８】
各駆動スプロケット部材２３の第１〜第５のスプロケット２３１〜２３５は、それぞれ別個に形成してもよく、２つ又は３つを一体に形成し、各中間横浅１２１を交差する前記駆動軸の当該部位をそれぞれ軸受け１３により軸設する中間横浅を境界としてその前後に位置するように駆動軸の当該部位に集まるように設置することも第１の実施形態と同様である。
【００３９】
一方、第１〜第５のスプロケット２３１〜２３５のうち第１〜第３のスプロケット２３１〜２３３は、中間横浅１２１の前方に位置するように駆動軸２２の前側に前後に離れるように設置し、第４及び第５のスプロケット２３４、２３５は、前記中間横浅の後方に位置するように駆動軸の後側に前後に離れるように設置する。
【００４０】
また、第１及び第２の左右補助スプロケット２４１、２４２は、第２及び第３のスプロケット２３２、２３３の左右に、第３及び第４の左右補助スプロケット２４３、２４４は第４及び第５のスプロケット２３４、２３５の左右にそれぞれ等間隔に離れる同一線上に位置するようにそれぞれ左右軸受けブラケット１４の前後部に軸設する。
【００４１】
第１〜第５の昇降部材３１〜３５は、各中間部分が第１〜第５のスプロケット２３１〜２３５の下部又は上部にそれぞれ掛け渡され、各左右端には栽培ガター４０、４０’がそれぞれ結束される第１〜第５の昇降チェーン３１１〜３１５と、前記第１〜第５の昇降チェーンの各下向きになる左右側部分を上部に掛け渡す第１〜第５の左右案内スプロケット３２１〜３２５と、をそれぞれ備える。
【００４２】
第１の左右案内スプロケット３２１は、駆動軸２２の左右から等間隔に離れる上側に位置するように中間横浅１２１の上面に設置し、第２の左右案内スプロケット３２２は、前記第１の左右案内スプロケットの左右から等間隔に離れる下側に位置するように下部横浅１２２の上面に設置し、第３の左右案内スプロケット３２３は、前記第２の左右案内スプロケットの左右から等間隔に離れる上側に位置するように中間横浅の上面に設置し、第４の左右案内スプロケット３２４は、前記第３の左右案内スプロケットの左右から等間隔に離れる下側に位置するように下部横浅の上面に設置し、第５の左右案内スプロケット３２５は、前記第４の左右案内スプロケットの左右から等間隔に離れる上側に位置するように中間横浅の上面に設置する。
【００４３】
このように設置すると、第１〜第５の左右案内スプロケット３２１〜３２５の左右間隔が等しくなるため、各左右端に結束された左右の栽培ガター４０、４０’のそれぞれの間隔も等しくなる。
【００４４】
図１３ａ及び図１３ｂは、図１１における第１の昇降部材を抜粋して拡大して示す正面図及び平面図である。
【００４５】
第１の昇降部材３１の第１の昇降チェーン３１１は、中間部分が第１のスプロケット２３１の下部に掛け渡されるように左右側部分がそれぞれ上向きになるようにして第１の左右案内スプロケット３２１の上部を経てその左右から下向きになるように掛け渡す。
【００４６】
このように設置すると、減速モーター２１が正駆動して駆動軸２２により第１のスプロケット２３１が時計回り方向に回転するときには、第１の昇降チェーン３１１の中間部分が左側に移動するため、第１の左右案内スプロケット３２１により案内されて右側部分は上昇し、左側部分が下降するため、左側の栽培ガター４０は下降し、右側の栽培ガター４０’は上昇し、逆に、前記減速モーターの逆駆動により第１のスプロケットが反時計回り方向に回転するときには、第１の昇降チェーンの中間部分が右側に移動するため、右側の栽培ガターは下降し、左側の栽培ガターは上昇する。
【００４７】
このように、栽培ガター４０、４０’が昇降するとき、第１の昇降チェーン３１１は、第１のスプロケット２３１及び第１の左右案内スプロケット３２１間の高さの差が大きいため、前記第１のスプロケットの下部及び第１の左右案内スプロケットの上部の歯車の歯に多く掛け渡されるため、駆動軸２２の駆動力が完璧に伝達されて前記左右側の栽培ガターを常にムラなく円滑に且つ正確に昇降させる。
【００４８】
図１４ａ及び図１４ｂは、図１１における第２及び第３の昇降部材を抜粋して拡大して示す正面図及び平面図である。
【００４９】
第２の昇降部材３２の第２の昇降チェーン３１２は、中間部分が第２のスプロケット２３２の上部に掛け渡されるように左右側部分がそれぞれ下向きになるようにして第１の左右補助スプロケット２４１の下部を経て第２の左右案内スプロケット３２２の上部の左右から下向きになるように掛け渡する。
【００５０】
このように設置すると、減速モーター２１が正駆動して駆動軸２２により第２のスプロケット２３２が時計回り方向に回転するときには、第２の昇降チェーン３１２の中間部分が右側に移動するため、第１の左右補助スプロケット２４１及び第２の左右案内スプロケット３２２により案内されて左側部分は上昇し、右側部分が下降するため、左側の栽培ガター４０は上昇し、右側の栽培ガター４０’は下降し、逆に、前記減速モーターの逆駆動により第２のスプロケットが反時計回り方向に回転するときには、第２の昇降チェーンの中間部分が左側に移動するため、右側の栽培ガターは上昇し、左側の栽培ガターは下降する。
【００５１】
このように、栽培ガター４０、４０’が昇降するとき、第２の昇降チェーン３１２は、第２のスプロケット２３２と、第１の左右補助スプロケット２４１及び第２の左右案内スプロケット３２２を上下位置を変えながら移動させるように掛け渡されているため、これらの間の高さの差が大きくなくても前記第２のスプロケットの上部と、第１の左右補助スプロケットの下部及び第２の左右案内スプロケットの上部の歯車の歯に確実に掛け渡されながら移動されるため、駆動軸２２の駆動力が完璧に伝達されて前記左右側の栽培ガターを常にムラ無く円滑に且つ正確に昇降させる。
【００５２】
一方、第３の昇降部材３３の第３の昇降チェーン３１３は、中間部分が第３のスプロケット２３３の下部に掛け渡されるように左右側部分がそれぞれ上向きになるようにして第２の左右補助スプロケット２４２の上部を経て第３の左右案内スプロケット３２３の上部の左右から下向きになるように掛け渡す。
【００５３】
このように設置すると、減速モーター２１が正駆動して駆動軸２２により第３のスプロケット２３３が時計回り方向に回転するときには、第３の昇降チェーン３１３の中間部分が左側に移動するため、第２の左右補助スプロケット２４２及び第３の左右案内スプロケット３２３により案内されて左側部分は下降し、右側部分が上昇するため、左側の栽培ガター４０は下降し、右側の栽培ガター４０’は上昇し、逆に、前記減速モーターの逆駆動により第３のスプロケットが反時計回り方向に回転するときには、第３の昇降チェーンの中間部分が右側に移動するため、右側の栽培ガターは下降し、左側の栽培ガターは上昇する。
【００５４】
このように、栽培ガター４０、４０’が昇降するとき、第３の昇降チェーン３１３は、第３のスプロケット２３３と、第２の左右補助スプロケット２４２及び第３の左右案内スプロケット３２３を上下位置を変えながら移動させるように掛け渡されているため、これらの間の高さの差が大きくなくても前記第３のスプロケットの下部と、第２の左右補助スプロケットの上部及び第３の左右案内スプロケットの上部の歯車の歯に確実に掛け渡されながら移動されるため、駆動軸２２の駆動力が完璧に伝達されて前記左右側の栽培ガターを常にムラ無く円滑に且つ正確に昇降させる。
【００５５】
図１５ａ及び図１５ｂは、図１１における第４及び第５の昇降部材を抜粋して拡大して示す正面図及び平面図である。
【００５６】
第４の昇降部材４３の第４の昇降チェーン３１４は、中間部分が第４のスプロケット２３４の上部に掛け渡されるように左右側部分がそれぞれ下向きになるようにし、第３の左右補助スプロケット２４３の下部を経て第４の左右案内スプロケット３２４の上部の左右から下向きになるように掛け渡す。
【００５７】
このように設置すると、減速モーター２１が正駆動して駆動軸２２により第４のスプロケット２３４が時計回り方向に回転するときには、第４の昇降チェーン３１４の中間部分が右側に移動するため、第３の左右補助スプロケット２４３及び第４の左右案内スプロケット３２４により案内されて左側部分は上昇し、右側部分が下降するため、左側の栽培ガター４０は上昇し、右側の栽培ガター４０’は下降し、逆に、前記減速モーターの逆駆動により第４のスプロケットが反時計回り方向に回転するときには、第４の昇降チェーンの中間部分が左側に移動するため、右側の栽培ガターは上昇し、左側の栽培ガターは下降する。
【００５８】
このように、栽培ガター４０、４０’が昇降するとき、第４の昇降チェーン３１４は、第４のスプロケット２３４と、第３の左右補助スプロケット２４３及び第４の左右案内スプロケット３２４を上下位置を変えながら移動させるように掛け渡されているため、これらの間の高さの差が大きくなくても、前記第４のスプロケットの上部と、第３の左右補助スプロケットの下部及び第４の左右案内スプロケットの上部の歯車の歯に確実に掛け渡されながら移動されるため、駆動軸２２の駆動力が完璧に伝達されて前記左右側の栽培ガターを常にムラ無く円滑に且つ正確に昇降させる。
【００５９】
一方、第５の昇降部材３５の第５の昇降チェーン３１５は、中間部分が第５のスプロケット２３５の下部に掛け渡されるように左右側部分がそれぞれ上向きになるようにして第４の左右補助スプロケット２４４の上部及び第５の左右案内スプロケット３２５の上部を経て左右から下向きになるように設置する。
【００６０】
このように設置すると、減速モーター２１が正駆動して駆動軸２２により第５のスプロケット２３５が時計回り方向に回転するときには、第５の昇降チェーン３１５の中間部分が左側に移動するため、第４の左右補助スプロケット２４４及び第５の左右案内スプロケット３２５により案内されて左側部分は下降し、右側部分が上昇するため、左側の栽培ガター４０は下降し、右側の栽培ガター４０’は上昇し、逆に、前記減速モーターの逆駆動により第５のスプロケットが反時計回り方向に回転するときには、第５の昇降チェーンの中間部分が右側に移動するため、右側の栽培ガターは下降し、左側の栽培ガターは上昇する。
【００６１】
このように、栽培ガター４０、４０’が昇降するとき、第５の昇降チェーン３１５は、第５のスプロケット２３５と、第４の左右補助スプロケット２４４及び第５の左右案内スプロケット３２５を上下位置を変えながら移動させるように掛け渡されているため、これらの間の高さの差が大きくなくても、前記第５のスプロケットの下部と、第４の左右補助スプロケットの上部及び第５の左右案内スプロケットの上部の歯車の歯に確実に掛け渡されながら移動されるため、駆動軸２２の駆動力が完璧に伝達されて前記左右側の栽培ガターを常にムラ無く円滑に且つ正確に昇降させる。
【００６２】
図１６ａ及び図１６ｂは、図９における栽培ガターの高さが互いに異なるように調節された状態を示す正面図である。
【００６３】
図９に示すように、第１〜第５の昇降部材３１〜３５の左右栽培ガター４０、４０’が同一線上に水平にある状態で減速モーター２１が正駆動して駆動軸２２により第１〜第５のスプロケット２３１〜２３５が一緒に時計回り方向に回転すると、第１、第３及び第５の昇降チェーン３１１、３１３、３１５の中間部分は同時に左側に移動するのに対し、第２及び第４の昇降チェーン３１２、３１４は同時に右側に移動する。
【００６４】
これにより、第１、第３及び第５の昇降チェーン３１１、３１３、３１５の各左端に結束された左側の栽培ガター４０は同時に下降し、各右端に結束された右側の栽培ガター４０’は同時に上昇するのに対し、第２及び第４の昇降チェーン３１２、３１４の各左端に結束された左側の栽培ガター４０は同時に上昇し、右側の栽培ガター４０’は同時に上昇するため、図１６ａに示すように、前記左右の栽培ガターは１つの減速モーター２１及び駆動軸２２だけでも同時に１つ置きに１つずつ千鳥状に互い違いに昇降させて作業者の通路を生成する。
【００６５】
また、図９に示すように、第１〜第５の昇降部材３１〜３５の左右栽培ガター４０、４０’が同一線上に水平にある状態で減速モーター２１が逆駆動して駆動軸２２により第１〜第５のスプロケット２３１〜２３５が一緒に反時計回り方向に回転すると、第１、第３及び第５の昇降チェーン３１１、３１３、３１５の中間部分は同時に右側に移動するのに対し、第２及び第４の昇降チェーン３１２、３１４は同時に左側に移動するため、図１６ｂに示すように、前記第１、第３及び第５の昇降チェーンの各左端に結束された左側の栽培ガターは同時に上昇し、各右端に結束された右側の栽培ガターは同時に上昇するのに対し、第２及び第４の昇降チェーンの各左端に結束された左側の栽培ガターは同時に下降し、各右端に結束された右側の栽培ガターは同時に上昇するため、左右の栽培ガターは１つの減速モーター及び駆動軸だけでも同時に１つ置きに１つずつ千鳥状に互い違いに昇降させて作業者の通路を生成する。
【００６６】
このような本発明の第１及び第２の実施形態に係るアップダウンシステムを用いた植物の栽培装置は、第１の昇降チェーン３１１から第５の昇降チェーン３１５まで順番に１つ置きに１つずつ駆動軸２２を基点としてその下部及び上部において同時に互い違いに上昇及び下降させるように千鳥状に配置してなるものである。
【００６７】
一方、以上においては、昇降手段３０が第１〜第５の昇降部材３１〜３５の５個１組で構成されると説明しているが、本発明は必ずしもこれに限定されるものではなく、前記昇降手段を設置する温室１０の内部の左右又は前後に面積に応じて１つの昇降手段当たりに３つや４つ又はそれ以上の昇降部材を１組にして横又は縦横に連設してもよく、この場合も本発明の範囲に属するということはいうまでもない。
【００６８】
更に、第１〜第５の左右案内スプロケット３２１〜３２５はそれぞれ左右が開放されるように形成される抜け止めブラケット３６の内側に軸設して前記第１〜第５の左右案内スプロケットに掛け渡される第１〜第５の昇降チェーン３１１〜３１５が移動経路から離脱することを防ぐ。
【００６９】
図１７は、本発明の第３の実施形態に係るアップダウンシステムを用いた植物の栽培装置が設置された温室の一部を概略的に示す正面図であり、図１８は、図１７における一部を省略して示すアップダウンシステムを用いた植物の栽培装置の平面図である。
【００７０】
図１７及び図１８に示すように、本発明に係るアップダウンシステムを用いた植物の栽培装置は、一般に広く用いられている屋根構造をそのまま適用する温室１０の柱１１の上部を水平に横切るように前後に所定の間隔を隔てて配置されたトラス１２に設置する駆動手段２０と、前記駆動手段により昇降するように設置された昇降手段３０及び前記昇降手段の左右にそれぞれ吊設される栽培ガター４０、４０’を備える。
【００７１】
図１９は、図１７における一部を抜粋して拡大して示す正面図であり、図２０ａ及び図２０ｂは、図１９の拡大された平面図及び側面図であり、図２１は、図１７における栽培ガターの高さが調節された状態を示す正面図である。
【００７２】
駆動手段２０は、減速モーター２１と、トラス１２の各中間横浅１２１の下部に前後に横切るように軸受け１３により設置されて前記減速モーターにより正逆転する駆動軸２２と、前記駆動軸に前後に所定の間隔を隔てて軸固定されて設置され、外周面に巻取溝２３１’が螺旋状に形成された所定の長さのリール部材２３’と、を備える。
【００７３】
リール部材２３’は、駆動軸２２の当該部分を軸受け１３により下部に設置する中間横浅１２１が上部の中間に位置するように設置する。
【００７４】
このように設置すると、後述するように、リール部材２３’にそれぞれかかる栽培ガター４０、４０’の荷重がいずれも駆動軸２２に集中せず、軸受け１３により分散されるため、長期間に亘って使用しても軸変形などの現象が発生しない。
【００７５】
昇降手段３０は、第１〜第５の昇降部材３１〜３５により構成される。
【００７６】
第１〜第５の昇降部材３１〜３５は、各中間部分が互いに離れるようにリール部材２３’に螺旋状に形成された巻取溝２３１’の当該部位にそれぞれ螺旋状に数回に亘って巻取し、各左右端には栽培ガター４０、４０’が結束される第１〜第５の昇降ワイヤー３１１’〜３１５’と、前記第１〜第５の昇降ワイヤーの各左右側部分をそれぞれ上部に掛け渡す第１〜第５の左右案内プーリー３２１’〜３２５’と、を備える。
【００７７】
一方、第１〜第５の昇降ワイヤー３１１’〜３１５’は、各中間部分が巻取溝２３１’にそれぞれ数回に亘って巻き取られる部分に沿って各左右側部分がリール部材２３’の左右において前記巻取溝にそれぞれ巻き取られたり繰り出されたりする位置が互いに前後に異なり、これにより、第１〜第５の左右案内プーリー３２１’〜３２５’は、前記第１〜第５の昇降ワイヤーの各左右側部分が巻取溝に巻き取られたり繰り出されたりする位置に対応する間隔で前後に離れるようにトラス１２に設置する。
【００７８】
第１の昇降部材３１の第１の左右案内プーリー３２１’は、駆動軸２２の左右から等間隔に離れる上側に位置するように中間横浅１２１の上面の後側の左右に設置し、第１の昇降ワイヤー３１１’は、中間部分をリール部材２３’の巻取溝２３１’において後端側に数回に亘って螺旋状に巻き取って左側部分は前方の左下部から上向きになって前記第１の左右案内プーリーのうち前方に位置する第１の左右案内プーリーの上部に掛け渡されて左側から下向きになり、右側部分は後方の右下部から上向きになって後方に位置する第１の左右案内プーリーの上部に掛け渡されて右側から下向きになるように設置する。
【００７９】
このように設置すると、減速モーター２１が正駆動して駆動軸２２によりリール部材２３’が時計回り方向に回転するときには、巻取溝２３１’に巻き取られた第１の昇降ワイヤー３１１’の中間部分の前側は左側に繰り出され、後側は左側に巻き取られるため、前記第１の昇降ワイヤーが左側に移動するにつれて第１の左右案内プーリー３２１’により案内されて前記第１の昇降ワイヤーの右側部分は上昇し、左側部分が下降するため、左側の栽培ガター４０は下降し、右側の栽培ガター４０’は上昇し、逆に、前記減速モーターの逆駆動によりリール部材が反時計回り方向に回転するときには、第１の昇降ワイヤーの中間部分の前側は右側に巻き取られ、後側は右側に繰り出されるため、第１の昇降ワイヤーが右側に移動し、右側の栽培ガターは下降し、左側の栽培ガターは上昇する。
【００８０】
第２の昇降部材３２の第２の左右案内プーリー３２２’は、第１の左右案内プーリー３２１’の左右から等間隔に離れる下側に位置するように下部横浅１２２の上面の前側の左右に設置し、第２の昇降ワイヤー３１２’は、中間部分をリール部材２３’の巻取溝２３１’において前端側に数回に亘って螺旋状に巻き取って左側部分は後方の左上部から下向きになって前記第２の左右案内プーリーのうち後方に位置する第２の左右案内プーリーの上部に掛け渡されて左側から下向きになり、右側部分は後方の右上部から下向きになって前方に位置する第２の左右案内プーリーの上部に掛け渡されて右側から下向きになるように設置する。
【００８１】
このように設置すると、減速モーター２１が正駆動して駆動軸２２によりリール部材２３’が時計回り方向に回転するときには、巻取溝２３１’に巻き取られた第２の昇降ワイヤー３１２’の中間部分の前側は右側に繰り出され、後側は右側に巻き取られるため、前記第２の昇降ワイヤーが右側に移動するにつれて第２の左右案内プーリー３２２’により案内されて前記第２の昇降ワイヤーの右側部分は下降し、左側部分が上昇するため、左側の栽培ガター４０は上昇し、右側の栽培ガター４０’は下降し、逆に、前記減速モーターの逆駆動によりリール部材が反時計回り方向に回転するときには、第２の昇降ワイヤーの中間部分の前側は左側に巻き取られ、後側は左側に繰り出されるため、第２の昇降ワイヤーが左側に移動して右側の栽培ガターは上昇し、左側の栽培ガターは下降する。
【００８２】
第３の昇降部材３３の第３の左右案内プーリー３２３’は、第２の左右案内プーリー３２２’の左右から等間隔に離れる上側に位置するように中間横浅１２１の上面の前側の左右に設置し、第３の昇降ワイヤー３１３’は、中間部分をリール部材２３’の巻取溝２３１’において第２の昇降ワイヤー３１２’の中間部分の後側に離れるように数回に亘って螺旋状に巻き取って左側部分は前方の左下部から上向きになって前記第３の左右案内プーリーのうち前方に位置する第３の左右案内プーリーの上部に掛け渡されて左側から下向きになり、右側部分は後方の右下部から上向きになって後方に位置する第３の左右案内プーリーの上部に掛け渡されて右側から下向きになるように設置する。
【００８３】
このように設置すると、減速モーター２１が正駆動して駆動軸２２によりリール部材２３’が時計回り方向に回転するときには、巻取溝２３１’に巻き取られた第３の昇降ワイヤー３１３’の中間部分の前側は左側に繰り出され、後側は左側に巻き取られるため、前記第３の昇降ワイヤーが左側に移動するにつれて第３の左右案内プーリー３２３’により案内されて前記第３の昇降ワイヤーの右側部分は上昇し、左側部分が下降するため、左側の栽培ガター４０は下降し、右側の栽培ガター４０’は上昇し、逆に、前記減速モーターの逆駆動によりリール部材が反時計回り方向に回転するときには、第３の昇降ワイヤーの中間部分の前側は右側に巻き取られ、後側は右側に繰り出されるため、第３の昇降ワイヤーが右側に移動して右側の栽培ガターは下降し、左側の栽培ガターは上昇する。
【００８４】
第４の昇降部材３４の第４の左右案内プーリー３２４’は、第３の左右案内プーリー３２３’の左右から等間隔に離れる下側に位置するように下部横浅１２２の上面の後側の左右に設置し、第４の昇降ワイヤー３１４’は、中間部分をリール部材２３’の巻取溝２３１’において第１の昇降ワイヤー３１１’の中間部分の前側に離れるように数回に亘って螺旋状に巻き取って左側部分は後方の左上部から下向きになって前記第４の左右案内プーリーのうち後方に位置する第４の左右案内プーリーの上部に掛け渡されて左側から下向きになり、右側部分は後方の右上部から下向きになって前記前方に位置する第４の左右案内プーリーの上部に掛け渡されて右側から下向きになるように設置する。
【００８５】
このように設置すると、減速モーター２１が正駆動して駆動軸２２によりリール部材２３’が時計回り方向に回転するときには、巻取溝２３１’に巻き取られた第４の昇降ワイヤー３１４’の中間部分の前側は右側に繰り出され、後側は右側に巻き取られるため、前記第４の昇降ワイヤーが右側に移動するにつれて第４の左右案内プーリー３２２’により案内されて前記第４の昇降ワイヤーの右側部分は下降し、左側部分が上昇するため、左側の栽培ガター４０は上昇し、右側の栽培ガター４０’は下降し、逆に、前記減速モーターの逆駆動によりリール部材が反時計回り方向に回転するときには、第４の昇降ワイヤーの中間部分の前側は左側に巻き取られ、後側は左側に繰り出されるため、第４の昇降ワイヤーが左側に移動して右側の栽培ガターは上昇し、左側の栽培ガターは下降する。
【００８６】
第５の昇降部材３５の第５の左右案内プーリー３２５’は、第４の左右案内プーリー３２４’の左右から等間隔に離れる上側に位置するように中間横浅１２１の上面の前方及び後方に設置し、第５の昇降ワイヤー３１５’は、中間部分をリール部材２３’の巻取溝２３１’において第３の昇降ワイヤー３１３’の中間部分の後側及び第４の昇降ワイヤー３１４’の前側から離れるように数回に亘って螺旋状に巻き取って左側部分は前方の左下部から上向きになって前記第５の左右案内プーリーのうち前方に位置する第５の左右案内プーリーの上部に掛け渡されて左側から下向きになり、右側部分は後方の右下部から上向きになって後方に位置する第５の左右案内プーリーの上部に掛け渡されて右側から下向きになるように設置する。
【００８７】
このように設置すると、減速モーター２１が正駆動して駆動軸２２によりリール部材２３’が時計回り方向に回転するときには、巻取溝２３１’に巻き取られた第５の昇降ワイヤー３１５’の中間部分の前側は左側に繰り出され、後側は左側に巻き取られるため、前記第５の昇降ワイヤーが左側に移動するにつれて第５の左右案内プーリー３２５’により案内されて前記第５の昇降ワイヤーの右側部分は上昇し、左側部分が下降するため、左側の栽培ガター４０は下降し、右側の栽培ガター４０’は上昇し、逆に、前記減速モーターの逆駆動によりリール部材が反時計回り方向に回転するときには、第５の昇降ワイヤーの中間部分の前側は右側に巻き取られ、後側は右側に繰り出されるため、第５の昇降ワイヤーが右側に移動して右側の栽培ガターは下降し、左側の栽培ガターは上昇する。
【００８８】
このように、第１〜第５の昇降部材３１〜３５を設置すると、１つの減速モーター２１及び駆動軸２２だけで前記第１〜第５の昇降部材の各左右栽培ガター４０、４０’を同時に１つ置きに１つずつ千鳥状に互い違いに昇降させる。
【００８９】
すなわち、図１７に示すように、第１〜第５の昇降部材３１〜３５の左右栽培ガター４０、４０’が同一線上に水平にある状態で減速モーター２１が正駆動して駆動軸２２によりリール部材２３’が時計回り方向に回転すると、第１、第３及び第５の昇降ワイヤー３１１’、３１３’、３１５’の中間部分は同時に左側に移動するのに対し、第２及び第４の昇降ワイヤー３１２’、３１４’は同時に右側に移動する。
【００９０】
これにより、第１、第３及び第５の昇降ワイヤー３１１’、３１３’、３１５’の各左端に結束された左側の栽培ガター４０は同時に下降し、各右端に結束された右側の栽培ガター４０’は同時に上昇するのに対し、第２及び第４の昇降ワイヤー３１２’、３１４’の各左端に結束された左側の栽培ガター４０は同時に上昇し、右側の栽培ガター４０’は同時に下降するため、図１８に示すように、前記左右の栽培ガターは１つの減速モーター２１と、駆動軸２２及びリール部材２３’だけで同時に１つ置きに１つずつ千鳥状に互い違いに昇降させて作業者の通路を生成する。
【００９１】
一方、以上においては、昇降手段３０が第１〜第５の昇降部材３１〜３５の５個１組で構成されると説明しているが、本発明は必ずしもこれに限定されるものではなく、前記昇降手段を設置する温室１０の内部の左右又は前後に面積に応じて１つの昇降手段当たりに３つや４つ又はそれ以上の昇降部材を１組にして横又は縦横に連設してもよく、なお、前記第１〜第５の昇降部材が設置された前後の位置も必要に応じて変更可能であり、この場合も本発明の範囲に属するということはいうまでもない。
【００９２】
また、第１〜第５の左右案内プーリー３２１’〜３２５’はそれぞれ左右が開放されるように形成される抜け止めブラケット３６の内側に軸設して前記第１〜第５の左右案内プーリーに掛け渡される第１〜第５の昇降ワイヤー３１１’〜３１５’がそれぞれの移動経路から離脱することを防ぐ。
【００９３】
このように、栽培ガター４０、４０’が昇降するとき、第１〜第５の昇降ワイヤー３１１’〜３１５’の各中間部分がそれぞれリール部材２３’の巻取溝２３１’において当該部分に数回ずつ螺旋状に巻き取られて左右動するように設置されているため、前記各第１〜第５の昇降ワイヤーは左右動に際してスリップ現象が全く発生せず、その結果、駆動軸２２の駆動力が完璧に伝達されて前記栽培ガターが左右のムラなしに常に円滑に且つ正確に昇降される。
【００９４】
このような本発明の第１〜第３の実施形態に係るアップダウンシステムを用いた植物の栽培装置は、１つの減速モーター２１及び駆動軸２２だけで第１〜第５の昇降部材３１〜３５を同時に作動させて前記各第１〜第５の昇降部材の各左右端に結束された左右の栽培ガター４０、４０’を水平状態で１つ置きに１つずつ千鳥状に互い違いに昇降させるものであるため、その構造が単純化され、設置及びメンテナンスが行い易く、しかも、コストが大幅に節減されて生産コストの上昇が招かないことから、生産者及び消費者のコスト負担を大幅に低減することができる。
【符号の説明】
【００９５】
１０：温室
１２：トラス
２０：駆動手段
２１：減速モーター
２２：駆動軸
２３：駆動スプロケット部材
２３’：リール部材
３０：昇降手段
３１〜３５：第１〜第５の昇降部材
３６：抜け止めブラケット
４０、４０’：栽培ガター
２３１〜２３５：第１〜第５のスプロケット
２３１’：巻取溝
２４１〜２４４：第１〜第４の左右補助スプロケット
３１１〜３１５：第１〜第５の昇降チェーン
３１１’〜３１５：第１〜第５の昇降ワイヤー
３２１〜３２５：第１〜第５の左右案内スプロケット
３２１’〜３２５’：第１〜第５の左右案内プーリー
【図１】
2018139576.tif 000003
【図２】
2018139576.tif 000004
【図３】
2018139576.tif 000005
【図４】
2018139576.tif 000006
【図５】
2018139576.tif 000007
【図６】
2018139576.tif 000008
【図７ａ】
2018139576.tif 000009
【図７ｂ】
2018139576.tif 000010
【図８】
2018139576.tif 000011
【図９】
2018139576.tif 000012
【図１０】
2018139576.tif 000013
【図１１】
2018139576.tif 000014
【図１２ａ】
2018139576.tif 000015
【図１２ｂ】
2018139576.tif 000016
【図１３ａ】
2018139576.tif 000017
【図１３ｂ】
2018139576.tif 000018
【図１４ａ】
2018139576.tif 000019
【図１４ｂ】
2018139576.tif 000020
【図１５ａ】
2018139576.tif 000021
【図１５ｂ】
2018139576.tif 000022
【図１６ａ】
2018139576.tif 000023
【図１６ｂ】
2018139576.tif 000024
【図１７】
2018139576.tif 000025
【図１８】
2018139576.tif 000026
【図１９】
2018139576.tif 000027
【図２０ａ】
2018139576.tif 000028
【図２０ｂ】
2018139576.tif 000029
【図２１】
2018139576.tif 000030